【事件の表示】
　特願２０１０−１３１３５３「撮像装置および方法、並びにプログラム」拒絶査定不服審判事件〔平成２２年１２月　２日出願公開、特開２０１０−２７１７２３〕について、次のとおり審決する。
【結　論】
　本件審判の請求は、成り立たない。
【理　由】
第１　手続の経緯
　本願は、平成２２年６月８日の出願であって、平成２４年９月１４日付けで拒絶査定がなされ、これに対し、同年１２月１９日に拒絶査定に対する審判の請求がなされ、同時に手続補正がなされたものである。
　その後、平成２５年６月１２日付けで、当審による上記平成２４年１２月１９日付けの手続補正についての補正の却下の決定がなされるとともに、拒絶理由の通知がなされ、同年８月６日に意見書及び手続補正書が提出された。
  
第２　本願発明
　本願の請求項１に係る発明（以下「本願発明」という。）は、平成２５年８月６日付けの手続補正で補正された特許請求の範囲の請求項１に記載された事項により特定される、次のとおりのものと認める。
「ユーザの第１の方法による指示及び第２の方法による指示を受け付けて、表示範囲内に表示された画像に対して所定の処理をおこなう領域の位置と範囲を設定する領域設定手段を備え、
　前記領域設定手段は、前記第１の方法による指示を受け付けた場合、前記第２の方法によって設定された領域の位置の中心を前記表示範囲の中央となる位置に移動して設定するとともに、前記領域の範囲を前記第２の方法によって設定されていた前記領域の範囲よりも広い所定の範囲に設定する
　ことを特徴とする撮像装置。」
　
第３　本願の出願日
　請求人は、本願が平成１４年１２月２６日に出願した特願２００７−１０２２４３号（以下「原出願」という。）の一部を新たな特許出願としたものである旨主張している。
　そこで、請求人の上記主張について検討する。
　
１．本願発明の有する発明特定事項
　本願発明は、（ユーザの）「第１の方法による指示」、「第２の方法による指示」、「所定の処理を行う領域」及び「前記領域の範囲を前記第２の方法によって設定されていた前記領域の範囲よりも広く設定する」という発明特定事項を有する。
　
２．原出願の明細書等の記載
　原出願の願書に最初に添付された特許請求の範囲、明細書又は図面（以下「原明細書等」という。）には、上記各特定事項に関して、以下の記載が認められる。（当審注：下線は当審が付与）
（１）「【請求項１】
　被写体を撮像し、前記被写体の画像を取り込む撮像手段と、
　前記撮像手段による撮像範囲内の所定の第１の領域に含まれる前記被写体に合焦させる合焦手段と、
　
指示を受け付ける受け付け手段
　前記受け付け手段により前記撮像範囲内における前記第１の領域の位置の指定が受け付けられていない場合、前記第１の領域の中心が前記撮像範囲の中心に位置するように前記第１の領域の位置を設定し、
前記受け付け手段により前記指定が受け付けられた場合
　前記位置設定手段により設定された位置に応じて、前記第１の領域の範囲を設定する範囲設定手段と、
　
前記受け付け手段により、前記第１の領域の設定の初期化の指示が受け付けられた場合
前記指定が受け付けられていない状態の設定に戻す初期化手段
（２）「【請求項１２】
　被写体を撮像する撮像部を有する撮像装置の撮像方法において、
　前記撮像部において撮像された前記被写体の画像の取り込みを制御する取り込み制御ステップと、
　前記撮像部の撮像範囲内における所定の第１の領域に含まれる前記被写体に合焦させる合焦ステップと、
　
指示の受け付けを制御する受け付け制御ステップ
　前記受け付け制御ステップの処理により制御されて前記撮像範囲内における前記第１の領域の位置の指定が受け付けられていない場合、前記第１の領域の中心が前記撮像範囲の中心に位置するように前記第１の領域の位置を設定し、
前記受け付け制御ステップの処理により制御されて前記指定が受け付けられた場合
　前記位置設定ステップの処理により設定された位置に応じて、前記第１の領域の範囲を設定する範囲設定ステップと、
　
前記受け付け制御ステップの処理により制御されて前記第１の領域の設定の初期化の指示が受け付けられた場合
前記指定が受け付けられていない状態の設定に戻す初期化ステップ
　を含むことを特徴とする撮像方法。」
（３）「【請求項１３】
　撮像部を用いて被写体を撮像する処理をコンピュータに行わせるプログラムであって、
　前記撮像部において撮像された前記被写体の画像の取り込みを制御する取り込み制御ステップと、
　前記撮像部の撮像範囲内における所定の第１の領域に含まれる前記被写体に合焦させる合焦ステップと、
　
指示の受け付けを制御する受け付け制御ステップ
　前記受け付け制御ステップの処理により制御されて前記撮像範囲内における前記第１の領域の位置の指定が受け付けられていない場合、前記第１の領域の中心が前記撮像範囲の中心に位置するように前記第１の領域の位置を設定し、
前記受け付け制御ステップの処理により制御されて前記指定が受け付けられた場合
　前記位置設定ステップの処理により設定された位置に応じて、前記第１の領域の範囲を設定する範囲設定ステップと、
　
前記受け付け制御ステップの処理により制御されて前記第１の領域の設定の初期化の指示が受け付けられた場合
前記指定が受け付けられていない状態の設定に戻す初期化ステップ
　を含むことを特徴とするプログラム。」
（４）「【０００１】
　本発明は撮像装置および方法、並びにプログラムに関し、特に、より好適な自動合焦を行うことができるようにした、撮像装置および方法、並びにプログラムに関する。」
（５）「【０００７】
　しかしながら、ユーザが焦点を合わせる被写体の
位置を指定した後、その位置を初期状態に戻したい場合
【０００８】
　本発明はこのような状況に鑑みてなされたものであり、焦点を合わせる
位置を初期状態に戻す
（６）「【００９５】
　常時AFモードは、AF領域内の被写体に対して、カメラ部２２がTTLコントラスト検出方式によりAF処理を行うモードである。常時AFモードにおいては、AF領域の位置は、撮影画枠内においてユーザにより任意に決定される。また、AF処理は、ユーザがAF領域を移動させた時、ユーザがメイン画面２２０のソフトキャプチャボタン２２７上をタップした時、または、ユーザが図１のメカキャプチャボタン２３を「半押し」した時に実行される。さらに常時AFモードにおいては、図１４Ａに示されるように、EVFエリア２２１には、AF領域の範囲を示すAF枠２６１が表示される。
【００９６】
　
初期状態（ユーザがAF領域の位置を移動させていない状態）
比較的広く設定
【００９７】
　このとき、ユーザが図１０のソフトキャプチャボタン２２７を操作したり、メカキャプチャボタン２３を押下（全押し）したりすると、カメラ制御部２１０は、CPU１３１より供給されたAF枠２６１の位置情報に基づいて、AF枠２６１が囲むAF領域を対象として、TTLコントラスト検出方式によるAF処理等の調整処理を行った後、画像のキャプチャ処理を行う。なお、メカキャプチャボタン２３を半押しした場合は、AF処理等の調整処理のみを行う。これによりユーザは、被写体をEVFエリア２２１の中央付近に位置させるようにPDA１を移動させ、ソフトキャプチャボタン２２７またはメカキャプチャボタン２３を操作するだけで、被写体に焦点の合った画像を得ることができる。
【００９８】
　また、このAF枠２６１の位置は、EVFエリア２２１内であれば、ユーザが任意に指定することができる。すなわち、ユーザが、図１４Ｂに示されるように、タッチペン３５等を用いて、EVFエリア２２１上を１回タップすると、CPU１３１は、
タッチパネル３６
ユーザがタップした位置
【００９９】
　この場合、ユーザは、通常、焦点を合わせたい被写体をタップするので、いわゆる「中抜け」の現象が発生する可能性は低い。逆に、不必要にAF領域が広いと、AF領域内のユーザが指定した被写体と異なる被写体に焦点が合う可能性が大きくなってしまう。従って、このように、ユーザがAF枠２６１の位置を指定した場合、AF領域は、図１４Ｂに示されるように、図１４Ａに示される場合（ユーザがAF枠２６１の位置を指定していない場合）のAF領域（１０８ドット×６０ドット）より狭い範囲（３０ドット×３０ドット）に設定される。
【０１００】
　このとき、カメラ制御部２１０は、CPU１３１より供給されたAF枠２６１の位置情報に基づいて、AF枠２６１が囲むAF領域を対象として、TTLコントラスト検出方式によるAF処理を行う。合焦すると、CPU１３１は、ユーザに通知するために、図１４Ｃに示されるように、EVFエリア２２１に表示されているAF枠２６１を所定の時間点滅させる。
【０１０１】
　そして、ユーザが図１０のソフトキャプチャボタン２２７を操作したり、メカキャプチャボタン２３を押下（全押し）したりすると、カメラ制御部２１０は、CPU１３１より供給されたAF枠２６１の位置情報に基づいて、AF枠２６１が囲む領域を対象として、TTLコントラスト検出方式によるオートフォーカス処理を行った後、画像のキャプチャ処理を行う。なお、メカキャプチャボタン２３を半分押下する「半押し」した場合は、オートフォーカス処理のみを行う。以上のようにして、ユーザは、被写体がEVFエリア２２１のどこに位置していても、その被写体に焦点を合わせた画像を容易に得ることができる。
【０１０２】
　AF枠２６１（AF領域）を
初期状態（図１４Ａに示される状態）に戻したい場合
ダブルタップを行う
（７）「【０１２５】
　次に、図１６および図１７のフローチャートを参照して、常時AFモードにおけるAF処理である常時AF処理について説明する。図１４Ａを参照して上述したように、常時AFモードの初期状態（ユーザがAF枠２６１の位置を指定していない状態）において、EVFエリア２２１には、広めのAF領域の範囲を示す第１のサイズのAF枠２６１が、その中心がEVFエリア２２１の中心に位置するように、設けられている。
【０１２６】
　CPU１３１は、ステップＳ２１において、タッチパネル３６を制御し、図１４Ｂに示されるように、ユーザによりAF枠２６１の位置が指定されたか否かを判定する。ユーザがLCD２８のEVFエリア２２１上を１回タップすると、タッチパネル３６は、それを検出し、CPU１３１にその位置情報を供給する。
【０１２７】
　
タッチパネル３６よりタップされた位置の位置情報
第１のサイズより小さい第２のサイズ
（８）「【０１３１】
　ステップＳ２５において、タッチパネル３６を制御し、ユーザによりAF枠２６１の初期化が指示されたか否かを判定する。ユーザがLCD２８のEVFエリア２２１上をダブルタップすると、タッチパネル３６は、それを検出し、CPU１３１にその情報を供給する。
【０１３２】
　
タッチパネル３６よりダブルタップの情報が供給
第１のサイズのAF枠を初期の位置に配置する
（９）「【０１５２】
　図１９のステップＳ６７において、CPU１３１は、タッチパネル３６を制御し、ユーザによりAF枠２６１の初期化が指示されたか否かを判定する。ユーザがLCD２８のEVFエリア２２１上をダブルタップすると、タッチパネル３６は、それを検出し、CPU１３１にその情報を供給する。
【０１５３】
　
タッチパネル３６よりダブルタップの情報が供給
第１のサイズのAF枠を初期の位置に配置する
（１０）「【０１６１】
　以上においては、AF処理について説明したが、
露光調整（AE処理）時に
上述したAF領域のようにユーザがその位置を指定することができるようにしてもよい
（１１）「【０１６５】
　通常のAE処理は、図２１Ａに示されるように、EVFエリア２２１（撮影画枠）のほぼ全域であるAE領域３６１を対象として行われる。図２０において、
ユーザがスポット測光モードを設定すると、AE領域３６１は、図２１Ｂに示されるように、図２１Ａの場合より狭くなり、AE領域の中心を示すAE処理は、この狭いAE領域３６１を対象として行われる
【０１６６】
　また、スポット測光モード時は、EVFエリア２２１に、AE領域３６１の中心を示すスポット測光用ポインタ２６０が表示される。
【０１６７】
　なお、この初期状態の場合（ユーザがAE領域３６１の位置を指定していない場合）、AE領域３６１は、その中心がEVFエリア２２１（撮影画枠）の中心に位置するように配置される。」
（１２）「【０１７０】
　また、このAE枠３６１の位置は、EVFエリア２２１内であれば、ユーザが任意に指定することができる。すなわち、ユーザが、図２１Ｃに示されるように、タッチペン３５等を用いて、
EVFエリア２２１上を１回タップすると
ユーザがタップした位置がAE領域３６１の中心となるように、スポット測光用ポインタ２６０を移動させ
【０１７１】
　
AE領域３６１を初期状態（図２１Ａに示される状態）に戻したい場合、ユーザは、EVFエリア２２１上において、ダブルタップを行う
ユーザがダブルタップを行ったことを示す情報に基づいて、AE領域を初期化する
【０１７２】
　なお、図２１Ｄに示されるように、上述した常時AFモードまたはワンショットAFモードにおいて、ユーザがAF枠２６１を移動させた際に、スポット測光用ポインタ２６０がAF領域の中心に位置するように、AE領域３６１も同様に移動させるようにしてもよい。」
（１３）「【０２１８】
　CPU１３１は、ステップＳ１５１において、タッチパネル３６を制御し、図２１Ｄに示されるように、ユーザによりAF枠２６１の位置が指定されたか否かを判定する。ユーザがLCD２８の
EVFエリア２２１上を１回タップすると、タッチパネル３６は、それを検出し
（１４）「【０２２７】
　図２７のステップＳ１５９において、CPU１３１は、タッチパネル３６を制御し、ユーザによりAF枠２６１の初期化が指示されたか否かを判定する。
ユーザがLCD２８のEVFエリア２２１上をダブルタップすると、タッチパネル３６は、それを検出し
【０２２８】
　タッチパネル３６よりダブルタップの情報が供給され、AF枠２６１の初期化が指示されたと判定した場合、CPU１３１は、ステップＳ１６０に処理を進め、第１のサイズのAF枠を初期の位置に配置する。」
（１５）「【０２４２】
　また、ユーザによるAF領域やAE領域の位置の指定は、
ユーザがEVFエリア２２１上をダブルタップした場合に、初期化されるように説明したが、これに限らず、ユーザが、所定の時間より長時間EVFエリア２２１上をタップした場合に初期化されるようにしてもよい
（１６）「【０２４４】
　従って、上述した例のように、ディスプレイにタッチパネルが重畳されていなくても、
例えば、十字キー等のような、AF枠２６１やスポット測光用ポインタの位置を自在に移動させることのできる入力部を備えた電子機器であればよい
　
３．原明細書等の記載と各特定事項の関係
　上記各摘記事項を参酌して本願発明の上記各発明特定事項と原明細書等の記載との対応関係を見ていくと、「第１の方法による指示」は「タッチパネルをダブルタップすること」、「第２の方法による指示」は「タッチパネルをタップすること」、「所定の処理を行う領域」は「ＡＦ領域又はＡＥ領域」及び「前記領域の範囲を前記第２の方法によって設定されていた前記領域の範囲よりも広く設定する」ことは「ＡＦ領域又はＡＥ領域を初期状態に戻す」ことに、それぞれ相当することが分かる。
　
４．判断
　原明細書等の記載によれば、ユーザがＡＦ領域の位置を移動させていない初期状態においてＡＦ枠の中心がＥＶＦエリアの中央に配置され、しかもＡＦ領域が比較的広く設定されているのは、ユーザが焦点を合わせたい位置を指定していない状態でいわゆる「中抜け」を抑制できるように、いわば汎用性を持たせているからであることがわかる（上記摘記事項（６）の段落【００９６】参照）。
　これと反対に、ユーザがＡＦ枠の位置を指定した場合は、その位置に焦点を合わせたい被写体があるから「中抜け」の発生する可能性は低く、逆にＡＦ領域が広いとユーザが指定した被写体と異なる被写体に焦点が合う可能性がある（上記摘記事項（６）の段落【００９８】〜【００９９】参照）。
　すなわち、原明細書等の記載に基づく限り、「第１の方法による指示によって設定される領域」が「第２の方法による指示によって設定される領域」より広い範囲に設定されるのは、それらの領域が、それぞれ「ユーザが位置を指定していない初期状態の領域」と「ユーザが位置を指定した領域」との関係にあるからに他ならない。
　これに対して、本願発明が「第２の方法により移動された状態の領域を、第１の方法の指示によって表示領域の中央に移動すること、かつ、第２の方法により移動された状態のときよりも広い、所定の広さにすることを特徴とする」上記の関係にない任意の２つの領域を含むことは明らかである。
　本願発明が原明細書等に包含されるかどうかは原明細書等の記載に基づいて定められるべきものであるところ、上述のとおり、本願発明の上記のような技術思想は原明細書等に記載されていないばかりか、示唆もされていない。
　しかも、そのような事項が原出願の出願時点において当業者にとって自明の事項であるとする根拠もない。
　以上のことから、本願発明は原明細書等に記載された事項を超える事項を含むものである。
　
５．小括
　以上のとおりであるから、本願が特許法第４４条第１項の規定による特許出願であるとすることはできない。
　したがって、本願の出願日は本願が実際に出願された平成２２年６月８日であると認める。
　
第４　引用刊行物
　
１．引用文献１：特開２００７−２４９２２２号公報（上記「第３」で検討した原出願の公開公報）
　当審の拒絶の理由に引用され、本願の出願前に頒布された刊行物である、上記引用文献１には、上記「第３」の「２．」のとおりの記載がある。
　
　これらの記載事項を含む引用文献１全体の記載及び当業者の技術常識を総合すれば、引用文献１には、以下の発明が記載されているものと認められる。
「常時AFモードにおいては、EVFエリア（２２１）には、AF領域の範囲を示すAF枠（２６１）が表示される撮像装置において、
　ユーザがAF領域の位置を移動させていない初期状態において、AF枠の中心は、EVFエリアの中央に配置され、このときAF枠に示されるAF領域は１０８ドット×６０ドットと比較的広く設定されており、
　ユーザがタッチペン（３５）等を用いて、EVFエリア上を１回タップすると、CPU（１３１）は、タッチパネル（３６）より供給された位置情報に基づいて、ユーザがタップした位置がAF領域の中心となるようにAF枠を移動させ、このように、ユーザがAF枠の位置を指定した場合、AF領域はユーザがAF枠の位置を指定していない場合のAF領域（１０８ドット×６０ドット）より狭い範囲（３０ドット×３０ドット）に設定され、
　AF領域を初期状態に戻したい場合、ユーザは、EVFエリア上において、ダブルタップを行うとCPUは、タッチパネルより供給された、ユーザがダブルタップを行ったことを示す情報に基づいて、表示制御部（１３６）を制御して、LCD（２８）に表示されているAF枠を初期状態に戻し、カメラ制御部（２１０）を制御して、AF処理を実行させる撮像装置。」（以下「引用発明」という。）
　
第５　対比・判断
　
１．対比
　本願発明と、上記引用発明を対比する。
（１）引用発明の「ユーザは、EVFエリア上において、ダブルタップを行う」こと及び「ユーザがタッチペン等を用いて、EVFエリア上を１回タップする」ことは、それぞれ本願発明の「ユーザの第１の方法による指示」及び「第２の方法による指示」に相当する。
（２）同様に、「EVFエリア」は「表示範囲」に、「ユーザがタップした位置がAF領域の中心となるようにAF枠を移動させ」及び「ユーザがダブルタップを行ったことを示す情報に基づいて、表示制御部を制御して、LCDに表示されているAF枠を初期状態に戻」すことは「表示された画像に対して所定の処理をおこなう」ことに、それぞれ相当する。
　したがって、引用発明の「CPU」は、本願発明の「所定の処理をおこなう領域の位置と範囲を設定する領域設定手段」に相当する。
（３）引用発明は「ユーザがAF領域の位置を移動させていない初期状態において、AF枠の中心は、EVFエリアの中央に配置され」ているから、「ユーザがダブルタップを行ったことを示す情報に基づいて、表示制御部を制御して、LCDに表示されているAF枠を初期状態に戻し」た場合、「AF枠の中心は、EVFエリアの中央に配置され」ることになる。
　すなわち、引用発明は本願発明の「第１の方法による指示を受け付けた場合、前記第２の方法によって設定された領域の位置の中心を前記表示範囲の中央となる位置に移動して設定する」構成に相当する構成を有する。
（４）引用発明の「ユーザがAF枠の位置を指定していない場合のAF領域（１０８ドット×６０ドット）」（本願発明の「第１の方法による指示を受け付けた場合に設定される領域」に相当）は、「ユーザがAF枠の位置を指定した場合のAF領域（（３０ドット×３０ドット）」（同「第２の方法によって設定されていた前記領域」に相当）より広い範囲を有する。
　したがって、引用発明は本願発明の「第１の方法による指示を受け付けた場合、前記領域の範囲を前記第２の方法によって設定されていた前記領域の範囲よりも広い所定の範囲に設定する」に相当する構成を有する。
　
　したがって両者は、
「ユーザの第１の方法による指示及び第２の方法による指示を受け付けて、表示範囲内に表示された画像に対して所定の処理をおこなう領域の位置と範囲を設定する領域設定手段を備え、
　前記領域設定手段は、前記第１の方法による指示を受け付けた場合、前記第２の方法によって設定された領域の位置の中心を前記表示範囲の中央となる位置に移動して設定するとともに、前記領域の範囲を前記第２の方法によって設定されていた前記領域の範囲よりも広い所定の範囲に設定する
　撮像装置。」である点で一致し、相違点はない。
　
２．判断
　してみると、本願発明は引用発明である。
　
第６　むすび
　以上のとおりであるから、本願発明は引用発明であり、特許法第２９条１項第３号に規定する発明であるから特許を受けることができない。
　したがって、本願は拒絶をすべきものである。
　よって、結論のとおり審決する。